(57)【特許請求の範囲】
【請求項１】
受信すべき無線信号の周波数帯域が共通な４本以上の偶数本のアンテナと、
前記４本以上の偶数本のアンテナにおいて受信された前記無線信号を合成する合成器とを備え、
前記４本以上の偶数本のアンテナは、希望局からの前記無線信号の各々の受信方向が略平行となるように向けられるとともに、その受信方向と略直交した方向に、各々の指向性の半値幅および前記周波数帯域に基づいて設定された等しい間隔で一列に配置され、
前記周波数帯域内の周波数において、前記４本以上の偶数本のアンテナの各々の指向性の合成によって得られる指向性のパターンの半値幅の１／２の角度が、前記無線信号の希望局と妨害局との方向差の角度より小さくなるように、前記４本以上の偶数本のアンテナの前記間隔が定められる、アンテナ装置。
【請求項２】
前記周波数帯域は、テレビ放送用のＵＨＦ周波数帯域である、請求項１に記載のアンテナ装置。
【請求項３】
前記４本以上の偶数本のアンテナは、１個のアンテナ素子を有する導波器と、放射器と、複数個のアンテナ素子を有する反射器とを含む同一構成のアンテナであり、
前記４本以上の偶数本のアンテナの前記間隔は、約５００ｍｍであり、
前記導波器の前記１個のアンテナ素子の延伸方向の長さは約１６０ｍｍであり、
前記反射器の前記複数個のアンテナ素子の各々の延伸方向の長さは約４００ｍｍである、請求項２に記載のアンテナ装置。
【発明の詳細な説明】
【技術分野】
【０００１】
本発明は、アンテナ装置に関し、特に、複数本のアンテナを備えたアンテナ装置に関する。
【背景技術】
【０００２】
地上デジタルテレビジョン放送において、親局からの電波が届かない地域では、中継局の建設が進められているが、中継局のチャンネルの割付に余裕がないために同一チャンネルによる混信が発生する場合がある。このような地域において、受信点から見た希望局と妨害局との方向差がたとえば１５度前後と狭い場合には、従来の家庭用の８素子アンテナまたは１４素子アンテナでは指向性が広すぎて良好な受信特性を得ることができない。このため、半値幅がたとえば２０度以下である指向性の非常に鋭いアンテナが必要となる。なお、半値幅とは、アンテナの指向性の鋭さを示すものであり、受信点と受信電力が半分（−３ｄＢ）になる２つの点とを結ぶ２本の直線のなす角度である。
【０００３】
ここで、従来の８素子アンテナまたは１４素子アンテナを２台用いて、２台のアンテナにおいて受信された無線信号を位相合成することにより、妨害波方向にヌルを作って希望波よりも妨害波の受信電力を小さくし、妨害波を除去する構成が考えられる。しかしながら、このような構成では、従来のアンテナと同様の利得を得て、かつサイドローブのレベルを小さくすることは困難である。
【０００４】
半値幅を小さくし、かつサイドローブのレベルを小さくすることを目的とした地上デジタルテレビジョン放送用のアンテナ装置として、たとえば、特許文献１には、以下のようなアンテナ装置が開示されている。すなわち、導波素子、放射素子及び反射素子からなる３素子以上のアンテナ素子が電波の放射方向に沿って配置されている。アンテナ装置は、アンテナ素子の数が最も多い主アンテナと、主アンテナよりもアンテナ素子の数が少なく、主アンテナと略同一平面状で主アンテナの放射中心軸の左右に所定間隔を空けて配置された複数の副アンテナと、主アンテナ及び各副アンテナからの受信信号を合成して出力する合成手段とを備える。
【特許文献１】特開２００７−２８０６８号公報
【発明の開示】
【発明が解決しようとする課題】
【０００５】
しかしながら、特許文献１記載のアンテナ装置では、主アンテナに対する副アンテナの位置の細かい調整が必要となり、設置作業が困難であるという問題点がある。
【０００６】
それゆえに、本発明の目的は、良好な受信特性を得ることができ、かつ容易に設置することが可能なアンテナ装置を提供することである。
【課題を解決するための手段】
【０００７】
上記課題を解決するために、この発明のある局面に係わるアンテナ装置は、受信すべき無線信号の周波数帯域が共通な４本以上の偶数本のアンテナと、４本以上の偶数本のアンテナにおいて受信された無線信号を合成する合成器とを備え、４本以上の偶数本のアンテナは、希望局からの無線信号の各々の受信方向が略平行となるように向けられるとともに、その受信方向と略直交した方向に、各々の指向性の半値幅および前記周波数帯域に基づいて設定された等しい間隔で一列に配置されている。周波数帯域内の周波数において、４本以上の偶数本のアンテナの各々の指向性の合成によって得られる指向性のパターンの半値幅の１／２の角度が、無線信号の希望局と妨害局との方向差の角度より小さくなるように、４本以上の偶数本のアンテナの前記間隔が定められる。
【０００８】
好ましくは、周波数帯域は、テレビ放送用のＵＨＦ周波数帯域である。
【０００９】
好ましくは、４本以上の偶数本のアンテナは、１個のアンテナ素子を有する導波器と、放射器と、複数個のアンテナ素子を有する反射器とを含む同一構成のアンテナである。４本以上の偶数本のアンテナの間隔は、約５００ｍｍである。導波器の１個のアンテナ素子の延伸方向の長さは約１６０ｍｍである。反射器の複数個のアンテナ素子の各々の延伸方向の長さは約４００ｍｍである。
【発明の効果】
【００１２】
本発明によれば、良好な受信特性を得ることができ、かつ容易に設置することができる。
【発明を実施するための最良の形態】
【００１３】
以下、本発明の実施の形態について図面を用いて説明する。なお、図中同一または相当部分には同一符号を付してその説明は繰り返さない。
【００１４】
図１は、本発明の実施の形態に係るアンテナ装置の外観を示す斜視図である。図２（ａ）は、本発明の実施の形態に係るアンテナ装置の構成を示す上面図である。図２（ｂ）は、本発明の実施の形態に係るアンテナ装置の構成を示す正面図である。図２（ｃ）は、本発明の実施の形態に係るアンテナ装置の構成を示す側面図である。
【００１５】
図１および図２を参照して、アンテナ装置１０１は、アンテナ１１Ａ，１１Ｂ，１１Ｃ，１１Ｄと、合成器１２と、スタックアーム１３と、同軸ケーブル１４とを備える。アンテナ１１Ａは、導波器１Ａと、放射器２Ａと、反射器３Ａと、給電部４Ａと、アーム５Ａとを含む。アンテナ１１Ｂは、導波器１Ｂと、放射器２Ｂと、反射器３Ｂと、給電部４Ｂと、アーム５Ｂとを含む。アンテナ１１Ｃは、導波器１Ｃと、放射器２Ｃと、反射器３Ｃと、給電部４Ｃと、アーム５Ｃとを含む。アンテナ１１Ｄは、導波器１Ｄと、放射器２Ｄと、反射器３Ｄと、給電部４Ｄと、アーム５Ｄとを含む。導波器１Ａは、アンテナ素子Ｅ１Ａを含む。放射器２Ａは、アンテナ素子Ｅ２Ａ，Ｅ３Ａを含む。反射器３Ａは、アンテナ素子Ｅ４Ａ，Ｅ５Ａ，Ｅ６Ａ，Ｅ７Ａを含む。導波器１Ｂは、アンテナ素子Ｅ１Ｂを含む。放射器２Ｂは、アンテナ素子Ｅ２Ｂ，Ｅ３Ｂを含む。反射器３Ｂは、アンテナ素子Ｅ４Ｂ，Ｅ５Ｂ，Ｅ６Ｂ，Ｅ７Ｂを含む。導波器１Ｃは、アンテナ素子Ｅ１Ｃを含む。放射器２Ｃは、アンテナ素子Ｅ２Ｃ，Ｅ３Ｃを含む。反射器３Ｃは、アンテナ素子Ｅ４Ｃ，Ｅ５Ｃ，Ｅ６Ｃ，Ｅ７Ｃを含む。導波器１Ｄは、アンテナ素子Ｅ１Ｄを含む。放射器２Ｄは、アンテナ素子Ｅ２Ｄ，Ｅ３Ｄを含む。反射器３Ｄは、アンテナ素子Ｅ４Ｄ，Ｅ５Ｄ，Ｅ６Ｄ，Ｅ７Ｄを含む。
【００１６】
以下、アンテナ１１Ａ，１１Ｂ，１１Ｃ，１１Ｄの各々をアンテナ１１と称する場合がある。導波器１Ａ，１Ｂ，１Ｃ，１Ｄの各々を導波器１と称する場合がある。放射器２Ａ，２Ｂ，２Ｃ，２Ｄの各々を放射器２と称する場合がある。反射器３Ａ，３Ｂ，３Ｃ，３Ｄの各々を反射器３と称する場合がある。給電部４Ａ，４Ｂ，４Ｃ，４Ｄの各々を給電部４と称する場合がある。アーム５Ａ，５Ｂ，５Ｃ，５Ｄの各々をアーム５と称する場合がある。アンテナ素子Ｅ１Ａ，Ｅ１Ｂ，Ｅ１Ｃ，Ｅ１Ｄの各々をアンテナ素子Ｅ１と称する場合がある。アンテナ素子Ｅ２Ａ，Ｅ２Ｂ，Ｅ２Ｃ，Ｅ２Ｄの各々をアンテナ素子Ｅ２と称する場合がある。アンテナ素子Ｅ３Ａ，Ｅ３Ｂ，Ｅ３Ｃ，Ｅ３Ｄの各々をアンテナ素子Ｅ３と称する場合がある。アンテナ素子Ｅ４Ａ，Ｅ４Ｂ，Ｅ４Ｃ，Ｅ４Ｄの各々をアンテナ素子Ｅ４と称する場合がある。アンテナ素子Ｅ５Ａ，Ｅ５Ｂ，Ｅ５Ｃ，Ｅ５Ｄの各々をアンテナ素子Ｅ５と称する場合がある。アンテナ素子Ｅ６Ａ，Ｅ６Ｂ，Ｅ６Ｃ，Ｅ６Ｄの各々をアンテナ素子Ｅ６と称する場合がある。アンテナ素子Ｅ７Ａ，Ｅ７Ｂ，Ｅ７Ｃ，Ｅ７Ｄの各々をアンテナ素子Ｅ７と称する場合がある。
【００１７】
アンテナ装置１０１は、４本の八木アンテナ１１Ａ，１１Ｂ，１１Ｃ，１１Ｄを備えるスタックアンテナである。また、アンテナ１１Ａ，１１Ｂ，１１Ｃ，１１Ｄは、たとえば同一構成の八木アンテナである。なお、アンテナ１１Ａ，１１Ｂ，１１Ｃ，１１Ｄは、平面アンテナ等の他の種類のアンテナであってもよい。また、アンテナ装置１０１は、４個のアンテナを備える構成に限らず、複数個のアンテナを備える構成であればよいが、同相合成を考慮すると、偶数個のアンテナを備える構成が好ましい。
【００１８】
アンテナ１１Ａ，１１Ｂ，１１Ｃ，１１Ｄは、共通の周波数帯域、たとえばデジタルテレビジョン放送のＵＨＦ周波数帯域（４７０ＭＨｚ〜７７０ＭＨｚ）における無線信号を受信する。
【００１９】
合成器１２は、アンテナ１１Ａ，１１Ｂ，１１Ｃ，１１Ｄにおいて受信された無線信号を給電部４および同軸ケーブル１４を介して受けて、これらの無線信号を同相合成する。
【００２０】
図２（ａ）に示すように、アンテナ素子Ｅ３，Ｅ２，Ｅ１は、反射器３側からこの順番に水平方向に配置されている。また、図２（ｂ）に示すように、アンテナ素子Ｅ４，Ｅ５，Ｅ６，Ｅ７は、アンテナ装置１０１の上部から下部へこの順番に配置されている。
【００２１】
また、図２（ａ）に示すように、アンテナ装置１０１を上側から見た場合、アンテナ素子Ｅ１〜Ｅ７の延伸方向（長手軸方向）と垂直にアーム５が配置されている。また、アンテナ装置１０１を上側から見た場合、導波器１が含むアンテナ素子Ｅ１の延伸方向の中心と、放射器２が含むアンテナ素子Ｅ２，Ｅ３の各々の延伸方向の中心と、反射器３が含むアンテナ素子Ｅ４，Ｅ５，Ｅ６，Ｅ７の各々の延伸方向の中心とアーム５とが交わっている。そして、アーム５Ａ，５Ｂ，５Ｃ，５Ｄが略並行に配置されている。すなわち、アンテナ１１Ａ，１１Ｂ，１１Ｃ，１１Ｄの放射軸ＺＡ，ＺＢ，ＺＣ，ＺＤが略平行である。このような構成により、アンテナ装置１０１では、アンテナ１１Ａ，１１Ｂ，１１Ｃ，１１Ｄの位置関係の調整が容易となる。
【００２２】
また、アンテナ装置１０１は、水平偏波を受信する。すなわち、アンテナ１１Ａ，１１Ｂ，１１Ｃ，１１Ｄが含む各アンテナ素子は、延伸方向が設置面に対して水平になるように配置される。
【００２３】
なお、アンテナ装置１０１は、垂直偏波を受信する構成であってもよい。すなわち、アンテナ１１Ａ，１１Ｂ，１１Ｃ，１１Ｄが含む各アンテナ素子が、設置面に対して垂直になるように配置される構成であってもよい。
【００２４】
図２（ａ）において、スタックアーム１３の長さＹはたとえば１９００ｍｍである。また、図２（ｃ）において、アーム５の長さＫはたとえば３６０ｍｍであり、反射器３における最上部のアンテナ素子Ｅ４から最下部のアンテナ素子Ｅ７までの長さＬはたとえば２７２ｍｍである。
【００２５】
図３は、本発明の実施の形態に係るアンテナ装置におけるアンテナ単体の指向性パターンを示す図である。図３は、アンテナ素子Ｅ１の延伸方向の長さを１７０ｍｍとし、アンテナ素子Ｅ４〜Ｅ７の延伸方向の長さを３４０ｍｍとした場合を示している。
【００２６】
図４は、本発明の実施の形態に係るアンテナ装置におけるアンテナ単体の半値幅と受信信号の周波数との関係を示すグラフ図である。
【００２７】
図５は、本発明の実施の形態に係るアンテナ装置におけるアンテナ単体の利得と受信信号の周波数との関係を示すグラフ図である。
【００２８】
図６は、本発明の実施の形態に係るアンテナ装置におけるアンテナ単体の前後比と受信信号の周波数との関係を示すグラフ図である。ここで、前後比とは、希望波の方向の受信レベルと、希望波と反対方向の受信レベルとの比である。
【００２９】
図４〜図６において、グラフＧ１は、アンテナ素子Ｅ１の延伸方向の長さを１７０ｍｍとし、アンテナ素子Ｅ４〜Ｅ７の延伸方向の長さを３４０ｍｍとした場合を示している。グラフＧ２は、後述するようにアンテナ素子Ｅ１の延伸方向の長さを１６０ｍｍとし、アンテナ素子Ｅ４〜Ｅ７の延伸方向の長さを４００ｍｍとした場合を示している。
【００３０】
アンテナ１１Ａ，１１Ｂ，１１Ｃ，１１Ｄの各々において、導波器１におけるアンテナ素子Ｅ１は、（アンテナ１１の受信周波数帯域において、アンテナ１１の受信周波数帯域の中心周波数ＦＣである６２０ＭＨｚより高い周波数に対応する波長）×約０．４の長さに設定されている。
【００３１】
また、放射器２におけるアンテナ素子Ｅ２は、（アンテナ１１の受信周波数帯域において、中心周波数ＦＣより高い周波数に対応する波長）×約０．５の長さに設定されている。そして、放射器２におけるアンテナ素子Ｅ３は、（アンテナ１１の受信周波数帯域において、中心周波数ＦＣより低い周波数に対応する波長）×約０．５の長さに設定されている。
【００３２】
また、反射器３におけるアンテナ素子Ｅ４〜Ｅ７は、（アンテナ１１の受信周波数帯域において、中心周波数ＦＣより低い周波数に対応する波長）×約０．６の長さに設定されている。
【００３３】
本発明の実施の形態に係るアンテナ装置では、上記のようなアンテナ１１Ａ，１１Ｂ，１１Ｃ，１１Ｄの単体の受信特性に基づいて、アンテナ１１Ａ，１１Ｂ，１１Ｃ，１１Ｄの配置間隔を設定する。
【００３４】
すなわち、アンテナ１１Ａ，１１Ｂ，１１Ｃ，１１Ｄは、少なくとも各々の水平面内指向性の半値幅および受信すべき無線信号の周波数帯域に基づいて設定された等しい間隔で一列に配置されている。
【００３５】
図７〜図９は、本発明の実施の形態に係るアンテナ装置の指向性パターンを示す図である。図７〜図９は、アーム５Ａとアーム５Ｂとの間隔Ｘ１と、アーム５Ｂとアーム５Ｃとの間隔Ｘ２と、アーム５Ｃとアーム５Ｄとの間隔Ｘ３とを等間隔（Ｘ１＝Ｘ２＝Ｘ３）とし、この間隔をそれぞれ３６０ｍｍ，４４０ｍｍ，５２０ｍｍに設定した場合を示している。また、図７〜図９は、アンテナ素子Ｅ１の延伸方向の長さを１７０ｍｍとし、アンテナ素子Ｅ４〜Ｅ７の延伸方向の長さを３４０ｍｍとした場合を示している。
【００３６】
図１０は、本発明の実施の形態に係るアンテナ装置の半値幅と受信信号の周波数との関係を示すグラフ図である。
【００３７】
図１１は、本発明の実施の形態に係るアンテナ装置の利得と受信信号の周波数との関係を示すグラフ図である。
【００３８】
図１２は、本発明の実施の形態に係るアンテナ装置の前後比と受信信号の周波数との関係を示すグラフ図である。
【００３９】
図１０〜図１２において、グラフＧ１，Ｇ２，Ｇ３，Ｇ４は、間隔Ｘ１，Ｘ２，Ｘ３をそれぞれ３６０ｍｍ，４４０ｍｍ，５２０ｍｍ，５００ｍｍに設定した場合を示している。また、グラフＧ１〜Ｇ３は、アンテナ素子Ｅ１の延伸方向の長さを１７０ｍｍとし、アンテナ素子Ｅ４〜Ｅ７の延伸方向の長さを３４０ｍｍとした場合を示している。グラフＧ４は、後述するようにアンテナ素子Ｅ１の延伸方向の長さを１６０ｍｍとし、アンテナ素子Ｅ４〜Ｅ７の延伸方向の長さを４００ｍｍとした場合を示している。
【００４０】
図１０を参照して、間隔Ｘ１，Ｘ２，Ｘ３をそれぞれ３６０ｍｍ，４４０ｍｍ，５２０ｍｍに設定した場合、受信信号の周波数が４７０ＭＨｚ〜７７０ＭＨｚの範囲におけるアンテナ装置１０１の半値幅は、それぞれ２２度〜１４度、１８度〜１２度、１６度〜１０度となった。
【００４１】
本例では、受信障害が発生しているのは、受信点から見た希望局と妨害局との方向差が１５度前後の地域が多かった。この地域においては、図１１に示すように、間隔Ｘ１，Ｘ２，Ｘ３が５２０ｍｍのときに最も受信特性が改善したため、半値幅としては１６度〜１０度が必要であることが分かった。
【００４２】
しかしながら、図７〜図１０および図１２に示すように、間隔Ｘ１，Ｘ２，Ｘ３を大きくすると、半値幅が小さくなる一方で、サイドローブのレベルが大きくなり、かつ前後比が大きくなる傾向があった。
【００４３】
図１３は、本発明の実施の形態に係るアンテナ装置におけるアンテナ単体の指向性パターンを示す図である。
【００４４】
そこで、本発明の実施の形態に係るアンテナ装置では、導波器１におけるアンテナ素子Ｅ１を短くし、かつ反射器３におけるアンテナ素子Ｅ４〜Ｅ７を長く設定することにより、前後比を改善した。具体的には、アンテナ素子Ｅ１の延伸方向の長さを１７０ｍｍから１６０ｍｍに変更し、アンテナ素子Ｅ４〜Ｅ７の延伸方向の長さを３４０ｍｍから４００ｍｍに変更した。しかしながら、アンテナ装置１０１の指向性パターンにおいて、サイドローブのレベルが大きくなってしまった。
【００４５】
図１４は、本発明の実施の形態に係るアンテナ装置の指向性パターンを示す図である。
そこで、本発明の実施の形態に係るアンテナ装置では、間隔Ｘ１，Ｘ２，Ｘ３を５００ｍに設定することで、図１０および図１４に示すように、導波器１および反射器３の各々のアンテナ素子の長さを変更する前のサイドローブに近づけ、かつ半値幅を１６度〜１０度にすることができた。
【００４６】
アンテナ１１Ａ，１１Ｂ，１１Ｃ，１１Ｄの受信周波数帯域が４７０ＭＨｚ〜７７０ＭＨｚよりも周波数の低い側にシフトする場合には、この受信周波数帯域に基づいて、間隔Ｘ１，Ｘ２，Ｘ３を５００ｍｍよりも大きく設定する。逆に、アンテナ１１Ａ，１１Ｂ，１１Ｃ，１１Ｄの受信周波数帯域が４７０ＭＨｚ〜７７０ＭＨｚよりも周波数の高い側にシフトする場合には、この受信周波数帯域に基づいて、間隔Ｘ１，Ｘ２，Ｘ３を５００ｍｍよりも小さく設定する。このようにすることで、良好な受信特性を得ることができる。
【００４７】
また、アンテナ１１Ａ，１１Ｂ，１１Ｃ，１１Ｄの各々の半値幅が図１３に示す半値幅より小さい側にシフトする場合には、この半値幅に基づいて、間隔Ｘ１，Ｘ２，Ｘ３を５００ｍｍよりも小さく設定する。逆に、アンテナ１１Ａ，１１Ｂ，１１Ｃ，１１Ｄの各々の半値幅が図１３に示す半値幅より大きい側にシフトする場合には、この半値幅に基づいて、間隔Ｘ１，Ｘ２，Ｘ３を５００ｍｍよりも大きく設定する。このようにすることで、良好な受信特性を得ることができる。
【００４８】
なお、本発明の実施の形態に係るアンテナ装置では、間隔Ｘ１，Ｘ２，Ｘ３が等しく設定される構成であるとしたが、これに限定するものではなく、間隔Ｘ１，Ｘ２，Ｘ３が互いに異なっていてもよい。
【００４９】
ところで、従来の８素子アンテナまたは１４素子アンテナを２台用いて、２台のアンテナにおいて受信された無線信号を位相合成する構成では、従来のアンテナと同様の利得を得て、かつサイドローブのレベルを小さくすることは困難である。また、従来の家庭用のデジタルテレビジョン放送用アンテナでは、アンテナ素子を複数個含む導波器を用いることにより、受信利得を大きくしているが、このような構成では、サイドローブのレベルが大きくなってしまう。
【００５０】
また、特許文献１記載のアンテナ装置では、主アンテナに対する副アンテナの位置の細かい調整が必要となり、設置作業が困難であるという問題点がある。
【００５１】
しかしながら、本発明の実施の形態に係るアンテナ装置では、複数本のアンテナを用いて、これらのアンテナの間隔を、各アンテナの指向性の半値幅および受信すべき無線信号の周波数帯域に基づいて設定する。このような構成により、主アンテナに対する副アンテナの位置の細かい調整が不要となる。また、複数本のアンテナの間隔を適切に設定することにより、導波器が含むアンテナ素子が１個だけでも受信利得を大きくし、かつ半値幅を小さくすることができるため、サイドローブのレベルが大きくなることを防ぐことができる。したがって、本発明の実施の形態に係るアンテナ装置では、良好な受信特性を得ることができ、かつ容易に設置することができる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５３】
【図１】本発明の実施の形態に係るアンテナ装置の外観を示す斜視図である。
【図２】（ａ）は、本発明の実施の形態に係るアンテナ装置の構成を示す上面図である。（ｂ）は、本発明の実施の形態に係るアンテナ装置の構成を示す正面図である。（ｃ）は、本発明の実施の形態に係るアンテナ装置の構成を示す側面図である。
【図３】本発明の実施の形態に係るアンテナ装置におけるアンテナ単体の指向性パターンを示す図である。
【図４】本発明の実施の形態に係るアンテナ装置におけるアンテナ単体の半値幅と受信信号の周波数との関係を示すグラフ図である。
【図５】本発明の実施の形態に係るアンテナ装置におけるアンテナ単体の利得と受信信号の周波数との関係を示すグラフ図である。
【図６】本発明の実施の形態に係るアンテナ装置におけるアンテナ単体の前後比と受信信号の周波数との関係を示すグラフ図である。
【図７】本発明の実施の形態に係るアンテナ装置の指向性パターンを示す図である。
【図８】本発明の実施の形態に係るアンテナ装置の指向性パターンを示す図である。
【図９】本発明の実施の形態に係るアンテナ装置の指向性パターンを示す図である。
【図１０】本発明の実施の形態に係るアンテナ装置の半値幅と受信信号の周波数との関係を示すグラフ図である。
【図１１】本発明の実施の形態に係るアンテナ装置の利得と受信信号の周波数との関係を示すグラフ図である。
【図１２】本発明の実施の形態に係るアンテナ装置の前後比と受信信号の周波数との関係を示すグラフ図である。
【図１３】本発明の実施の形態に係るアンテナ装置におけるアンテナ単体の指向性パターンを示す図である。
【図１４】本発明の実施の形態に係るアンテナ装置の指向性パターンを示す図である。
【符号の説明】
【００５４】
１１Ａ，１１Ｂ，１１Ｃ，１１Ｄ  アンテナ、１Ａ，１Ｂ，１Ｃ，１Ｄ  導波器、２Ａ，２Ｂ，２Ｃ，２Ｄ  放射器、３Ａ，３Ｂ，３Ｃ，３Ｄ  反射器、４Ａ，４Ｂ，４Ｃ，４Ｄ  給電部、５Ａ，５Ｂ，５Ｃ，５Ｄ  アーム、Ｅ１Ａ，Ｅ１Ｂ，Ｅ１Ｃ，Ｅ１Ｄ，Ｅ２Ａ，Ｅ２Ｂ，Ｅ２Ｃ，Ｅ２Ｄ，Ｅ３Ａ，Ｅ３Ｂ，Ｅ３Ｃ，Ｅ３Ｄ，Ｅ４Ａ，Ｅ４Ｂ，Ｅ４Ｃ，Ｅ４Ｄ，Ｅ５Ａ，Ｅ５Ｂ，Ｅ５Ｃ，Ｅ５Ｄ，Ｅ６Ａ，Ｅ６Ｂ，Ｅ６Ｃ，Ｅ６Ｄ，Ｅ７Ａ，Ｅ７Ｂ，Ｅ７Ｃ，Ｅ７Ｄ  アンテナ素子、１２  合成器、１３  スタックアーム、１４  同軸ケーブル、１０１  アンテナ装置。
【図１】
0005004184.tif 000002
【図２】
0005004184.tif 000003
【図３】
0005004184.tif 000004
【図４】
0005004184.tif 000005
【図５】
0005004184.tif 000006
【図６】
0005004184.tif 000007
【図７】
0005004184.tif 000008
【図８】
0005004184.tif 000009
【図９】
0005004184.tif 000010
【図１０】
0005004184.tif 000011
【図１１】
0005004184.tif 000012
【図１２】
0005004184.tif 000013
【図１３】
0005004184.tif 000014
【図１４】
0005004184.tif 000015